【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
（ａ）粒子と、
（ｂ）（１）シリカ部分、
（２）モノ−オルガノオキシシラン部分、ビ−オルガノオキシシラン部分及びトリ−オルガノオキシシラン部分からなる群から選択されるオルガノオキシシラン部分、並びに
（３）ポリ（ジアルキル）シロキサン部分
を含む、前記粒子の表面上の被膜と
を含む被覆粉末であって、前記オルガノオキシシラン部分及び前記シリカ部分の、ＳｉＯ２相当量の重量による量が、被覆される前記粒子の比表面積のｍ２／ｇあたり、前記被覆粉末の総重量の少なくとも０．０６２５％である、前記被覆粉末。
【請求項２】
粒子が、ＺｎＯ、ＴｉＯ２及びこれらの混合物からなる群から選択される少なくとも１つの酸化物を含む、請求項１に記載の被覆粉末。
【請求項３】
粒子が、１０〜５００ｎｍの平均粒径を有する、請求項１又は２に記載の被覆粉末であって、粒子が、１５〜１５０ｎｍの平均粒径を有してもよい、前記被覆粉末。
【請求項４】
（ａ）オルガノオキシシラン部分が、それぞれ、式Ｒ１ｎＳｉＯ４−ｎ（式中、ｎ＝１、２又は３であり、各Ｒ１基は、アルキル、アルケニル、アルキニル、アリール及び複素環ラジカルからなる群から独立して選択され、及び／又は各Ｒ１基は、１〜１８個の炭素原子を有し且つアルキル、アルケニル及びアリールからなる群から独立して選択され、及び／又は各Ｒ１基は、アルキル、アリール、ビニル、グリシドキシアルキル、メタクリロキシアルキル、アミノアルキル、及びメルカプトアルキルからなる群から独立して選択される）を有する;
（ｂ）ポリ（ジアルキル）シロキサン部分が、それぞれ、式Ｏ（ＳｉＲ２２）（Ｒ２２ＳｉＯ）ｎ（ＳｉＲ２２）Ｏ又はＯ（ＳｉＲ２２）（Ｒ２２ＳｉＯ）ｎ（ＳｉＲ２２）ＯＲｃ（式中、ｎは、２〜１４の整数であり、各Ｒ２基は、アルキルであり、Ｒｃは、Ｈ、メチル、エチル及びプロピルからなる群から選択される）を有し、及び／又はオルガノオキシシランがプロピルシラン部分を含有し、前記ポリ（ジアルキル）シロキサンがポリジメチルシロキサンを含む；並びに／あるいは
（ｃ）ポリ（ジアルキル）シロキサンが、式ＲｃＯ（ＳｉＲ２２）（Ｒ２２ＳｉＯ）ｎ（ＳｉＲ２２）ＯＲｃ（式中、ｍは、２〜１４の整数であり、各Ｒ２基は、アルキル基であり、各Ｒｃ基は、アルキル基又はＨである）を有し、及び／又は前記ポリ（ジアルキル）シロキサンが、ポリジメチルシロキサン又はポリジエチルシロキサンであり、及び／又は前記ポリ（ジアルキル）シロキサンが、直鎖状である；請求項１〜３のいずれかに記載の被覆粉末。
【請求項５】
（１）請求項１〜４のいずれかに記載の被覆粉末、
（２）流動体を含み、かつ
（３）抗酸化剤を含んでいてもよい、分散液であって、任意で、
前記分散液が、２５℃において０．１秒−１〜１００秒−１の範囲の剪断速度で測定した場合、最大で５０，０００ｃＰの粘度を有する、並びに／又は、前記分散液が、２５℃において０．１秒−１〜１００秒−１の範囲の剪断速度で測定した場合、最大で１０，０００ｃＰの粘度を有する、並びに／又は、前記分散液が分散助剤をさらに含む、並びに／又は、前記分散助剤が、ステアリン酸、ステアレート、パルミチン酸、パルミテート、オレイン酸、オレエート、ポリヒドロキシステアリン酸、リン酸エステル、直鎖状アルキル置換アミン、トリグリセリンエステル、ポリエチレングリセリンエステル及びこれらの混合物からなる群から選択される、前記分散液。
【請求項６】
請求項１〜５のいずれかに記載の被覆粉末及び液体担体を含む、油中水型又は水中油型の乳液であって、任意で、
前記液体担体が、化粧用に許容されるものである、並びに／又は、前記液体担体が、安息香酸アルキル、脂肪酸エステル、天然産油、シリコーン油及びこれらの混合物からなる群から選択されるメンバーを含む、並びに／又は、前記液体担体が、安息香酸エチル、直鎖状安息香酸アルキル、カプリン酸／カプリル酸トリグリセリド及びこれらの混合物からなる群から選択されるメンバーを含む、前記油中水型又は水中油型の乳液。
【請求項７】
請求項１〜６のいずれかに記載の被覆粉末を含む組成物であって、
（ａ）化粧用／皮膚科用組成物であるか；又は
（ｂ）抗酸化剤を含む、
前記組成物。
【請求項８】
請求項１〜７のいずれかに記載の分散液、乳液、又は組成物であって、
（ａ）（ｉ）ビタミン、抗酸化ミネラル、抗酸化タンパク質、抗酸化性の酵素及び補酵素、植物性栄養分、並びに抗酸化ホルモン、及び／又は
(ii)アスコルビン酸、トコフェロール、緑茶抽出物、ヒドロキシチロソール、レチノール、レチナール、レチノイン酸（トレチノイン）、及びケルセチン脱水物
からなる群から選択されてもよい抗酸化剤を含む;
（ｂ）前記組成物が、ペンキ、ステイン、コーティング剤又はインクである;
（ｃ）フィト抽出物、植物バイオ抽出物及び原生生物抽出物からなる群からの少なくとも１つの抽出物を含み、及び／又は前記少なくとも１つの抽出物が、藻類抽出物である；並びに／あるいは
（ｄ）前記組成物が、無水調製物であり、及び／又は前記組成物が、エアゾール発泡クリーム、ローション、ペースト又はゲルであり、及び／又は前記組成物が、スプレーであり、及び／又は前記組成物が、スティック状又は粉末である；
前記分散液、乳液、又は組成物。
【請求項９】
以下の方法における使用のための、請求項１〜８のいずれかに記載の組成物、分散液、又は乳液。
（ａ）前記組成物、分散液、又は乳液で皮膚を被覆することを含む、皮膚を光から保護する方法；
（ｂ）前記組成物、分散液、又は乳液でケラチン性材料を被覆することを含む、ケラチン性材料を保護する方法；
（ｃ）前記組成物、分散液、又は乳液で皮膚を被覆することを含む、ヒト皮膚を保護する方法；又は
（ｄ）前記組成物、分散液、又は乳液を皮膚に塗布することを含む、脂質過酸化を抑制する方法；
【請求項１０】
（ａ）粒子が、効果顔料を含み、及び／又は前記効果顔料が、マイカ及び二酸化チタンを含む；及び／又は
（ｂ）樹脂をさらに含む、
請求項１〜９のいずれかに記載の被覆粉末、分散液、乳液、又は組成物。
【請求項１１】
（ａ）皮膚上の小じわ及びしわを妨ぐか又は低減する;
（ｂ）皮膚の弾力性の消失を妨ぐ；あるいは
（ｃ）皮膚の薄化を妨ぐ；
方法であって、請求項１〜１０のいずれかに記載の組成物、分散液、又は乳液を皮膚に塗布することを含む、前記方法。
【請求項１２】
抗酸化剤を保護する方法であって、抗酸化剤を請求項１〜１１のいずれかに記載の被覆粉末、分散液、乳液、又は組成物と混合することを含む、前記方法。
【請求項１３】
被覆粉末の製造方法であって、
（ｉ）粒子、
（ii）テトラ−アルコキシシラン、ポリ（テトラ−アルコキシシラン）、及びこれらの混合物からなる群から選択される第１のアルコキシシラン、
（iii）モノ−オルガノアルコキシシラン、ビ−オルガノアルコキシシラン、トリ−オルガノアルコキシシラン及びこれらの混合物からなる群から選択されるオルガノアルコキシシラン、並びに
（iv）ポリ（ジアルキル）シロキサン及びこれらの混合物からなる群から選択される第２のアルコキシシラン
を含む組成物を重合することにより、ポリマーで前記粒子を被覆することを含み、
前記オルガノオキシシラン部分及びシリカ部分の、ＳｉＯ２相当量の重量による量が、被覆される前記粒子の比表面積のｍ２／ｇあたり、前記被覆粉末の総重量の少なくとも０．０６２５％である、前記製造方法。
【請求項１４】
粒子が、ＺｎＯ、ＴｉＯ２及びこれらの混合物からなる群から選択される少なくとも１つの酸化物を含む、請求項１３に記載の製造方法。
【請求項１５】
（ａ）粒子が１０〜５００ｎｍの平均粒径を有し、粒子が、１５〜１５０ｎｍの平均粒径を有してもよい；並びに／あるいは
（ｂ）粒子が効果顔料を含み、及び／又は前記効果顔料が、マイカ及び二酸化チタンを含む；
請求項１３又は１４に記載の製造方法。
【請求項１６】
（ａ）オルガノオキシシラン部分が、それぞれ、式Ｒ１ｎＳｉＯ４−ｎ（式中、ｎ＝１、２又は３であり、各Ｒ１基は、アルキル、アルケニル、アルキニル、アリール及び複素環ラジカルからなる群から独立して選択され、及び／又は、各Ｒ１基は、１〜１８個の炭素原子を有し、かつアルキル、アルケニル及びアリールからなる群から独立して選択され、及び／又は、各Ｒ１基は、アルキル、アリール、ビニル、グリシドキシアルキル、メタクリロキシアルキル、アミノアルキル、及びメルカプトアルキルからなる群から独立して選択される）を有する;
（ｂ）ポリ（ジアルキル）シロキサン部分が、それぞれ、式Ｏ（ＳｉＲ２２）（Ｒ２２ＳｉＯ）ｎ（ＳｉＲ２２）Ｏ又はＯ（ＳｉＲ２２）（Ｒ２２ＳｉＯ）ｎ（ＳｉＲ２２）ＯＲｃ（式中、ｎは、２〜１４の整数であり、各Ｒ２基は、アルキルであり、Ｒｃは、Ｈ、メチル、エチル及びプロピルからなる群から選択される）を有し、及び／又はオルガノオキシシランがプロピルシラン部分を含有し、前記ポリ（ジアルキル）シロキサンがポリジメチルシロキサンを含む；並びに／あるいは、
（ｃ）ポリ（ジアルキル）シロキサンが、式ＲｃＯ（ＳｉＲ２２）（Ｒ２２ＳｉＯ）ｎ（ＳｉＲ２２）ＯＲｃ（式中、ｍは、２〜１４の整数であり、各Ｒ２基は、アルキル基であり、各Ｒｃ基は、アルキル基又はＨである）を有し、及び／又は前記ポリ（ジアルキル）シロキサンが、ポリジメチルシロキサン又はポリジエチルシロキサンであり、及び／又は前記ポリ（ジアルキル）シロキサンが、直鎖状である；
請求項１３〜１５のいずれかに記載の製造方法。
【請求項１７】
重合が、
（ａ）密封された真空容器中で組成物を加熱すること；並びに／又は
（ｂ）前記組成物を、前記組成物の一部を蒸発させるのに十分な温度で維持すること、容器に不活性ガス流を充満させること、及び前記容器を冷却すること；
を含む、請求項１３〜１６のいずれかに記載の製造方法。